(57)【特許請求の範囲】
【請求項１】
携帯電話機から送信される固有ＩＤによって復号できる暗号化コンテンツキーを生成する手段と、生成した前記暗号化コンテンツキー、前記暗号化コンテンツキーを復号したコンテンツキーにて復号できる暗号化データとを配信する配信手段と、前記配信に対して課金管理を行う課金手段と
を備える配信サーバと、
前記固有ＩＤ、前記暗号化コンテンツキーおよび前記暗号化データを記録する録媒体と、
前記配信サーバから無線基地局を介して受信した前記暗号化コンテンツキーと前記暗号化データとを前記記録媒体に記録する記録手段と、前記固有ＩＤと前記暗号化コンテンツキーと暗号化データからデータを再生する再生手段と、前記暗号化データに対する利用者の購入意志を入力する入力手段とを備える携帯電話機とを備える情報配信システムであって、
前記携帯電話機において、前記暗号化データの受信中に受信した前記暗号化データの一部或いは全てを再生した後、前記入力手段からの入力結果を前記配信サーバに無線基地局を介して送信し、前記暗号化データを購入する場合、前記配信サーバの前記課金手段にて課金を行うことを特徴とする情報配信システム。
【請求項２】
携帯電話機から送信される固有ＩＤによって復号できる暗号化コンテンツキーを生成する手段と、生成した前記暗号化コンテンツキー、前記暗号化コンテンツキーを復号したコンテンツキーにて復号できる暗号化データとを配信する配信手段と、前記配信に対して課金管理を行う課金手段とを備える配信サーバと、
前記固有ＩＤ、前記暗号化コンテンツキーおよび前記暗号化データを記録する記録媒体と、前記配信サーバから無線基地局を介して受信した前記暗号化コンテンツキーを一時保持するレジスタ手段と、前記レジスタ手段に保持された前記暗号化コンテンツキーおよび前記配信サーバから無線基地局を介して受信した前記暗号化データを前記記録媒体に記録する記録手段と、前記レジスタ手段に保持された暗号化コンテンツキー或いは前記記録媒体に記録された暗号化コンテンツキーと固有ＩＤと暗号化データからデータを再生する再生手段と、前記暗号化データに対する利用者の購入意志を入力する入力手段とを備える携帯電話機と
を備える情報配信システムであって、
前記レジスタ手段に保持された暗号化コンテンツキーによってデータを一部或いは全てを再生した後、前記入力手段からの入力結果を前記配信サーバに無線基地局を介して送信し、前記暗号化データを購入する場合、前記携帯電話機は前記レジスタ手段に保持された暗号化コンテンツキーを前記記録媒体に記録し、前記配信サーバは前記課金手段にて課金を行うことを特徴とする情報配信システム。
【請求項３】
前記暗号化データを購入しない場合は、前記記録媒体に記録された前記暗号化データを消去することを特徴とする請求項２に記載の情報配信システム。
【請求項４】
前記暗号化データを購入しない場合は、前記レジスタ手段に保持された暗号化コンテンツキーを破棄することを特徴とする請求項２および３のいずれかに記載の情報配信システム。
【請求項５】
携帯電話機から送信される固有ＩＤによって復号できる暗号化コンテンツキーを生成する手段と、生成した前記暗号化コンテンツキー、前記暗号化コンテンツキーを復号したコンテンツキーにて復号できる暗号化音楽データとを配信する配信手段と、前記配信に対して課金管理を行う課金手段とを備える配信サーバと、
前記固有ＩＤ、前記暗号化コンテンツキーおよび前記暗号化データを記録する記録媒体と、前記配信サーバから無線基地局を介して受信した前記暗号化コンテンツキーを一時保持するレジスタ手段と、前記レジスタ手段に保持された前記暗号化コンテンツキーおよび前記配信サーバから無線基地局を介して受信した前記暗号化音楽データを前記記録媒体に記録する記録手段と、前記レジスタ手段に保持された暗号化コンテンツキー或いは前記記録媒体に記録された暗号化コンテンツキーと固有ＩＤと暗号化音楽データから音楽を再生する音楽再生手段と、前記暗号化音楽データに対する利用者の購入意志を入力する入力手段とを備える携帯電話機と
を備える音楽配信システムであって、
前記レジスタ手段に保持された暗号化コンテンツキーによってデータの一部或いは全てを再生した後、前記入力手段からの入力結果を前記配信サーバに無線基地局を介して送信し、前記暗号化音楽データを購入する場合、前記携帯電話機は前記レジスタ手段に保持された暗号化コンテンツキーを前記記録媒体に記録し、前記配信サーバは前記課金手段にて課金を行うことを特徴とする音楽配信システム。
【請求項６】
前記暗号化音楽データを購入しない場合には、前記記録媒体に記録された前記暗号化音楽データを消去することを特徴とする請求項５に記載の音楽配信システム。
【請求項７】
前記暗号化音楽データを購入しない場合は、前記レジスタ手段に保持された暗号化コンテンツキーを破棄することを特徴とする請求項５および６のいずれかに記載の音楽配信システム。
【請求項８】
携帯電話機から送信される固有ＩＤによって復号できる暗号化コンテンツキーを生成する手段と、少なくとも生成した前記暗号化コンテンツキー、前記暗号化コンテンツキーを復号したコンテンツキーにて音楽を再生できる暗号化音楽データ、および暗号化されていない試聴音楽データとを配信する配信手段とを備える配信サーバと、
通話手段と、前記固有ＩＤ、前記暗号化コンテンツキーおよび前記暗号化データを記録する記録媒体と、前記配信サーバから無線基地局を介して受信した前記暗号化コンテンツキーおよび前記暗号化音楽データを前記記録媒体に記録する記録手段と、前記固有ＩＤと前記暗号化コンテンツキーと前記暗号化音楽データから音楽を再生する音楽再生手段と、前記暗号化音楽データに対する利用者の購入意志を入力する入力手段とを備える携帯電話機と
を備える音楽配信システムであって、
前記通話手段により前記試聴音楽データを再生した後、前記入力手段からの入力結果を前記配信サーバに無線基地局を介して送信し、前記暗号化音楽データを購入する場合、前記配信サーバは前記暗号化コンテンツキーおよび前記暗号化音楽データを配信し、前記携帯電話機は配信サーバから無線基地局を介して受信した前記暗号化コンテンツキーおよび前記暗号化音楽データを前記記録媒体に記録することを特徴とする音楽配信システム。
【請求項９】
前記試聴音楽データが前記暗号化音楽データを復号したデータの一部であることを特徴とする請求項８記載の音楽配信システム。
【請求項１０】
前記前記試聴音楽データが通話音声を圧縮する符号化方式にて圧縮された音楽データであることを特徴とする請求項８記載の音楽配信システム。
【請求項１１】
前記配信サーバは配信に対して課金管理を行う課金手段を備え、
前記暗号化音楽データを購入する場合、前記課金手段にて課金を行うことを特徴とする請求項８から１０に記載のいずれかの音楽配信システム。
【請求項１２】
携帯電話機から送信される固有ＩＤによって復号できる暗号化コンテンツキーを生成する手段と、生成した前記暗号化コンテンツキー、前記暗号化コンテンツキーを復号したコンテンツキーにて復号できる暗号化音楽データおよび前記暗号化音楽データに関する暗号化されていない付加情報とを配信する配信手段と、前記配信に対して課金管理を行う課金手段とを備える配信サーバと、
前記固有ＩＤ、前記暗号化コンテンツキー、前記暗号化データおよび前記付加情報を記録する録媒体と、前記配信サーバから無線基地局を介して受信した前記暗号化コンテンツキーを一時保持するレジスタ手段と、前記レジスタ手段に保持された前記暗号化コンテンツキーと、前記配信サーバから無線基地局を介して受信した前記暗号化音楽データおよび付加情報とを前記記録媒体に記録する記録手段と、前記レジスタに保持された暗号化コンテンツキー或いは前記記録媒体に記録された暗号化コンテンツキーと固有ＩＤと暗号化音楽データから音楽を再生する音楽再生手段と、前記暗号化音楽データに対する利用者の購入意志を入力する入力手段とを備える携帯電話機と
を備える音楽配信システムであって、
前記携帯電話機では前記レジスタ手段に保持された暗号化コンテンツキーによって前記暗号化データを一部或いは全てを再生した後、前記入力手段からの入力結果を前記配信サーバに無線基地局を介して送信するとともに、前記暗号化音楽データを購入する場合、前記携帯電話機は前記レジスタ手段に保持された暗号化コンテンツキーを前記記録媒体に記録し、前記配信サーバは前記課金手段にて課金を行うことを特徴とする音楽配信システム。
【請求項１３】
前記暗号化音楽データを購入しない場合は、前記記録媒体に記録された前記暗号化音楽データおよび付加情報を消去することを特徴とする請求項１２に記載の音楽配信システム。
【請求項１４】
前記暗号化音楽データを購入しない場合には、前記レジスタ手段に保持された暗号化コンテンツキーを破棄することを特徴とする請求項１２および１３のいずれかに記載の音楽配信システム。
【請求項１５】
携帯電話機から送信される固有ＩＤによって復号できる暗号化コンテンツキーを生成する手段と、生成した前記暗号化コンテンツキー、前記暗号化コンテンツキーを復号したコンテンツキーにて音楽を再生できる暗号化音楽データ、前記暗号化音楽データに関する暗号化されていない付加情報、および暗号化されていない試聴音楽データとを配信する配信手段とを備える配信サーバと、
通話手段と、前記固有ＩＤ、前記暗号化コンテンツキー、前記暗号化データおよび付加情報を記録する記録媒体と、前記配信サーバから無線基地局を介して受信した前記暗号化コンテンツキー、前記暗号化音楽データおよび付加情報を前記記録媒体に記録する記録手段と、前記固有ＩＤと前記暗号化コンテンツキーと前記暗号化音楽データから音楽を再生する音楽再生手段と、前記暗号化音楽データに対する利用者の購入意志を入力する入力手段とを備える携帯電話機と
を備える音楽配信システムであって、
前記通話手段により前記試聴音楽データを再生した後、前記入力手段からの入力結果を前記配信サーバに無線基地局を介して送信し、
前記暗号化音楽データを購入する場合、前記配信サーバは前記暗号化コンテンツキー、前記暗号化音楽データおよび付加情報を配信し、前記携帯電話機では配信サーバから無線基地局を介して受信した前記暗号化コンテンツキー、前記暗号化音楽データおよび付加情報を前記記録媒体に記録することを特徴とする音楽配信システム。
【請求項１６】
前記試聴音楽データが前記暗号化音楽データを復号したデータの一部であることを特徴とする請求項１５記載の音楽配信システム。
【請求項１７】
前記前記試聴音楽データが通話音声を圧縮する符号化方式にて圧縮された音楽データであることを特徴とする請求項１７記載の音楽配信システム。
【請求項１８】
前記配信サーバは配信に対して課金管理を行う課金手段を備え、
配信を受理する場合、前記課金手段にて課金を行うことを特徴とする請求項１５から１７に記載のいずれかの音楽配信システム。
【請求項１９】
前記付加情報は前記暗号化音楽データを再生して得られる音楽の曲名を含むことを特徴とする請求項１２から１８に記載のいずれかの音楽配信システム。
【請求項２０】
前記付加情報は前記暗号化音楽データを再生して得られる音楽を歌うまたは演奏する歌手名またはグループ名を含むことを特徴とする請求項１２から１８に記載のいずれかの音楽配信システム。
【請求項２１】
前記付加情報は前記暗号化音楽データを再生して得られる音楽の著作権に関する著作権情報を含むことを特徴とする請求１２から１８に記載のいずれかの音楽配信システム。
【請求項２２】
前記付加情報は前記暗号化音楽データを再生して得られる音楽の歌詞データを含むことを特徴とする請求項１２から１８に記載のいずれかの音楽配信システム。
【請求項２３】
前記付加情報は画像データを含むことを特徴とする請求項１２から１８に記載のいずれかの音楽配信システム。
【請求項２４】
前記付加情報は前記配信サーバに接続する電話番号を含むことを特徴とする請求項１２から１８に記載のいずれかの音楽配信システム。
【請求項２５】
前記付加情報は前記配信サーバに接続する電話番号を含み、前記携帯電話機は前記電話番号に自動発呼する手段を備えることを特徴とする請求項１２から１８に記載のいずれかの音楽配信システム。
【発明の詳細な説明】
【０００１】
【発明の属する技術分野】
本発明は、携帯電話網を用いた情報配信システム、特に、携帯電話機を端末とした音楽データを主に配信する情報配信システムに関するものである。
【０００２】
【従来の技術】
現在、音楽情報を記録したＣＤ（コンパクトディスク）やＭＤ（光磁気ディスク）等の固体メディアによる音楽情報の販売がなされている。しかしながら、通信手段によって音楽情報を配信し、利用者がこの配信音楽情報を利用者が所有するメディアに記録するといった販売は行われていない。
【０００３】
これに対して、本出願人は著作権の保護した上で携帯電話網による音楽配信を行い、配信端末機能および音楽再生機能を携帯電話機に持たせた音楽配信システムとして特願平１１−７５９１６号を提案した。
【０００４】
【発明が解決しようとする課題】
しかしながら、前記音楽配信システムでは、配信サーバより音楽データの配信を受ける際に、曲名、歌手名等の情報により購入する音楽データを選択する必要があり、実際に購入しようとしている音楽データより再生された音楽がどのようなものか事前に知ることができない。従って、購入後に、再生を行った音楽データが、購入者の意図したものでない場合でも、配信を時に課金がなされるため購入料金を支払わなくてはならないといった問題が発生する。
【０００５】
そこで、本発明は、かかる問題を解決し、音楽データを再生した音楽の一部若しくは全てを視聴できるようにすることを目的とする。
【０００６】
【課題を解決するための手段】
請求項１にかかる発明は、携帯話機から送信される固有ＩＤによって復号できる暗号化コンテンツキーを生成する手段と、生成した前記暗号化コンテンツキー、前記暗号化コンテンツキーを復号したコンテンツキーにて復号できる暗号化データとを配信する配信手段と、前記配信に対して課金管理を行う課金手段とを備える配信サーバと、前記固有ＩＤ、前記暗号化コンテンツキーおよび前記暗号化データを記録する記録媒体と、前記配信サーバから無線基地局を介して受信した前記暗号化コンテンツキー、前記暗号化データとを前記記録媒体に記録する記録手段と、前記固有ＩＤと前記暗号化コンテンツキーと暗号化データからデータを再生する再生手段と、前記暗号化データに対する利用者の購入意志を入力する入力手段とを備える携帯電話機とを備える情報配信システムであって、前記携帯電話機において、前記暗号化データの受信中に受信した前記暗号化データの一部或いは全てを再生した後、前記入力手段からの入力結果を前記配信サーバに無線基地局を介して送信し、前記暗号化データを購入する場合、前記配信サーバでは前記課金手段にて課金を行うことを特徴とする情報配信システムである。従って、請求項１に記載された情報配信システムでは、配信するデータを、課金以前に配信データを試聴或いは試読できるようになる。
【０００７】
請求項２にかかる発明は、携帯電話機から送信される固有ＩＤによって復号できる暗号化コンテンツキーを生成する手段と、生成した前記暗号化コンテンツキー、前記暗号化コンテンツキーを復号したコンテンツキーにて復号できる暗号化データとを配信する配信手段と、前記配信に対して課金管理を行う課金手段とを備える配信サーバと、前記固有ＩＤ、前記暗号化コンテンツキーおよび前記暗号化データを記録する記録媒体と、前記配信サーバから無線基地局を介して受信した前記暗号化コンテンツキーを一時保持するレジスタ手段と、前記レジスタ手段に保持された前記暗号化コンテンツキーおよび前記配信サーバから無線基地局を介して受信した前記暗号化データを前記記録媒体に記録する記録手段と、前記レジスタに保持された暗号化コンテンツキー或いは前記記録媒体に記録された暗号化コンテンツキー、固有ＩＤ、および暗号化データからデータを再生する再生手段と、前記暗号化データに対する利用者の購入意志を入力する入力手段とを備える携帯電話機とを備える情報配信システムであって、前記レジスタに保持された暗号化コンテンツキーによってデータを一部或いは全てを再生した後、前記入力手段からの入力結果を前記配信サーバに無線基地局を介して送信し、前記暗号化データを購入する場合、前記携帯電話機は前記レジスタに保持された暗号化コンテンツキーを前記記録媒体に記録し、前記配信サーバは前記課金手段にて課金を行い、前記暗号化データを購入しない場合、前記レジスタに保持された暗号化コンテンツキーを破棄することを特徴とする情報配信システムである。従って、請求項２に記載された情報配信システムでは、配信するデータを、課金以前に配信データを試聴或いは試読できるようになる。
【０００８】
請求項３にかかる発明は、請求項２に記載の情報配信サーバにおいて、配信データを試聴或いは試読した後、前記暗号化データを購入しない場合には、前記記録媒体に、一度記録された前記暗号化データを消去することを特徴とする情報配信システムである。従って、請求項３に記載された情報配信サーバでは、試聴或いは試読した後、配信を受理しなかった場合、参照できないデータを消去することで記録媒体の効率的利用ができるようになる。
【０００９】
請求項４にかかる発明は、請求項２および３記載いずれかの情報配信システムにおいて、前記携帯電話機は配信データを試聴或いは試読した後、前記暗号化データを購入しない場合、前記レジスタ手段に保持された前記暗号化コンテンツキーを破棄することを特徴とする情報配信システムである。従って、請求項４に記載された情報配信サーバでは、試聴或いは試読した後、配信を受理しなかった場合、受信した暗号化データを復号することができなくなる。
【００１０】
請求項５にかかる発明は、携帯電話機から送信される固有ＩＤによって復号できる暗号化コンテンツキーを生成する手段と、生成した前記暗号化コンテンツキー、前記暗号化コンテンツキーを復号したコンテンツキーにて復号できる暗号化音楽データとを配信する配信手段と、前記配信に対して課金管理を行う課金手段とを備える配信サーバと、前記固有ＩＤ、前記暗号化コンテンツキーおよび前記暗号化データを記録する記録媒体と、前記配信サーバから無線基地局を介して受信した前記暗号化コンテンツキーを一時保持するレジスタ手段と、前記レジスタ手段に保持された前記暗号化コンテンツキーおよび前記配信サーバから無線基地局を介して受信した前記暗号化音楽データを前記記録媒体に記録する記録手段と、前記レジスタに保持された暗号化コンテンツキー或いは前記記録媒体に記録された暗号化コンテンツキーと固有ＩＤと暗号化音楽データから音楽を再生する音楽再生手段と、前記暗号化音楽データに対する利用者の購入意志を入力手段とを備える携帯電話機とを備える音楽配信システムであって、前記レジスタに保持された暗号化コンテンツキーによってデータを一部或いは全てを再生した後、前記入力手段からの入力結果を前記配信サーバに無線基地局を介して送信し、前記暗号化音楽データを購入する場合、前記携帯電話機は前記レジスタに保持された暗号化コンテンツキーを前記記録媒体に記録し、前記配信サーバは前記課金手段にて課金を行うことを特徴とする音楽配信システムである。従って、請求項５に記載された音楽配信システムでは、配信された音楽を試聴した後、配信データの受理／不受理（音楽データを購入／購入しない）を決定でき、配信データを受理する（購入する）場合、課金できるようになる。
【００１１】
請求項６にかかる発明は、請求項５に記載の音楽配信システムであって、配信された音楽データを試聴した後、配信されたデータを不受理する（音楽データを購入しない）場合は、携帯電話機は前記記録媒体に、一度記録された前記暗音楽号化データを消去することを特徴とする音楽配信システムである。従って、請求項６に記載された音楽配信サーバでは、試聴したが不受理の（購入しない）場合に記録媒体に残る再生できない暗号化音楽データを消去することで記録媒体の効率的利用ができるようになる。
【００１２】
請求項７にかかる発明は、請求項５および６記載のいずれかの音楽配信システムにおいて、携帯電話機は配信データを試聴した後、配信されたデータを不受理する（購入しない）場合、前記レジスタ手段に保持された前記暗号化コンテンツキーを破棄することを特徴とする音楽配信システムである。従って、請求項７に記載された音楽配信システムでは、試聴したが不受理の（購入しい）暗号化データを復号することができなくなる。
【００１３】
請求項８にかかる発明は、携帯電話機から送信される固有ＩＤによって復号できる暗号化コンテンツキーを生成する手段と、生成した前記暗号化コンテンツキー、前記暗号化コンテンツキーを復号したコンテンツキーにて音楽を再生できる暗号化音楽データ、暗号化されていない試聴音楽データとを配信する配信手段とを備える配信サーバと、通話手段と、前記固有ＩＤ、前記暗号化コンテンツキーおよび前記暗号化データを記録する記録媒体と、前記配信サーバから無線基地局を介して受信した前記暗号化コンテンツキーおよび前記暗号化音楽データを前記記録媒体に記録する記録手段と、前記固有ＩＤ、前記暗号化コンテンツキー、および前記暗号化音楽データから音楽を再生する音楽再生手段と、前記暗号化音楽データに対する利用者の購入意志を入力する入力手段とを備える携帯電話機とを備える音楽配信システムであって、前記通話手段により前記試聴音楽データを再生した後、前記入力手段からの入力結果を前記配信サーバに無線基地局を介して送信し、前記暗号化音楽データを購入する場合、前記配信サーバでは前記暗号化コンテンツキーおよび前記暗号化音楽データを配信し、前記携帯電話機では配信サーバから無線基地局を介して受信した前記暗号化コンテンツキーおよび前記暗号化音楽データを前記記録媒体に記録することを特徴とする音楽配信システムである。従って、請求項８に記載された音楽配信システムでは、配信された音楽を試聴した後、配信データの受理／不受理（音楽データを購入／購入しない）を決定できるようになる。
【００１４】
請求項９にかかる発明は、請求項８記載の音楽配信システムであって、  前記試聴音楽データが前記暗号化音楽データを復号したデータの一部であることを特徴とする音楽配信システムである。従って、請求項９に記載された音楽配信システムでは、配信された音楽を試聴した後、配信データの受理／不受理（音楽データを購入／購入しない）を決定できるようになる。
【００１５】
請求項１０にかかる発明は、請求項８記載の音楽配信システムであって、前記前記試聴音楽データが通話音声を圧縮する符号化方式にて圧縮された音楽データであることを特徴とする音楽配信システムである。従って、請求項１０に記載された音楽配信システムでは、配信された音楽を試聴した後、配信データの受理／不受理（音楽データを購入／購入しない）を決定できるようになる。
【００１６】
請求項１１にかかる発明は、請求項８から１０に記載のいずれかの音楽配信システムであって、前記配信サーバは配信に対して課金管理を行う課金手段を備え、前記暗号化音楽データを購入する場合、前記課金手段にて課金を行うことを特徴とする音楽配信システムである。従って、請求項１１に記載された音楽配信システムでは、配信された音楽を試聴した後、配信データの受理／不受理（音楽データを購入／購入しない）を決定でき、配信データを受理する（購入する）場合、課金できるようになる。
【００１７】
請求項１２にかかる発明は、携帯電話機から送信される固有ＩＤによって復号できる暗号化コンテンツキーを生成する手段と、生成した前記暗号化コンテンツキー、前記暗号化コンテンツキーを復号したコンテンツキーにて復号できる暗号化音楽データ、および前記暗号化音楽データに関する暗号化されていない付加情報を配信する配信手段と、前記配信に対して課金管理を行う課金手段とを備える配信サーバと、前記固有ＩＤ、前記暗号化コンテンツキー、前記暗号化データおよび前記付加データを記録する記録媒体と、前記配信サーバから無線基地局を介して受信した前記暗号化コンテンツキーを一時保持するレジスタ手段と、前記レジスタ手段に保持された前記暗号化コンテンツキーと、前記配信サーバから無線基地局を介して受信した前記暗号化音楽データおよび付加情報とを前記記録媒体に記録する記録手段と、前記レジスタ手段に保持された暗号化コンテンツキー或いは前記記録媒体に記録された暗号化コンテンツキーと固有ＩＤと暗号化音楽データから音楽を再生する音楽再生手段と、前記暗号化音楽データに対する利用者の購入意志を入力する入力手段とを備える携帯電話機とを備える音楽配信システムであって、前記携帯電話機では前記レジスタに保持された暗号化コンテンツキーによってデータを一部或いは全てを再生した後、前記入力手段からの入力結果を前記配信サーバに無線基地局を介して送信すると共に、前記暗号化音楽データを購入する場合、前記携帯電話機は前記レジスタ手段に保持された暗号化コンテンツキーを前記記録媒体に記録し、前記配信サーバは前記課金手段にて課金を行うことを特徴とする音楽配信システムである。従って、請求項１２に記載された音楽配信システムでは、配信された音楽を試聴した後、配信データの受理／不受理（音楽データを購入する／購入しない）を決定できるようになる。
【００１８】
請求項１３にかかる発明は、請求項１２に記載の音楽配信システムであって、配信された音楽データを試聴した後、配信されたデータを不受理する（音楽データを購入しない）場合は、前記記録媒体に、一度記録された前記暗音楽号化データおよび付加情報を消去することを特徴とする音楽配信システムである。従って、請求項１３に記載された音楽配信サーバでは、試聴後、不受理（音楽データを購入しない）する場合に記録媒体に残る再生できない暗号化音楽データを消去することで記録媒体の効率的利用ができるようになる。
【００１９】
請求項１４にかかる発明は、請求項１２および１３記載のいずれかの音楽配信システムにおいて、配信データを試聴した後、配信されたデータを不受理する（購入しない）場合、前記レジスタ手段に保持された前記暗号化コンテンツキーを破棄することを特徴とする音楽配信システムである。従って、請求項１４に記載された情報配信サーバでは、試聴したが、購入しなかったを受理しなかった暗号化データを復号することができなくなる。
【００２０】
請求項１５にかかる発明は、携帯電話機から送信される固有ＩＤによって復号できる暗号化コンテンツキーを生成する手段と、生成した前記暗号化コンテンツキー、前記暗号化コンテンツキーを復号したコンテンツキーにて音楽を再生できる暗号化音楽データ、前記暗号化音楽データに関する暗号化されていない付加情報、および暗号化されていない試聴音楽データとを配信する配信手段とを備える配信サーバと、通話手段と、前記固有ＩＤ、前記暗号化コンテンツキー、前記暗号化データおよび付加情報を記録する記録媒体と、前記配信サーバから無線基地局を介して受信した前記暗号化コンテンツキー、前記暗号化音楽データおよび付加情報を前記記録媒体に記録する記録手段と、前記固有ＩＤと前記暗号化コンテンツキーと前記暗号化音楽データから音楽を再生する音楽再生手段と、前記暗号化音楽データに対する利用者の購入意志を入力する入力手段とを備える携帯電話機とを備える音楽配信システムであって、前記通話手段により前記試聴音楽データを再生した後、前記入力手段からの入力結果を前記配信サーバに無線基地局を介して送信し、前記暗号化音楽データを購入する場合、前記配信サーバは前記暗号化コンテンツキー、前記暗号化音楽データおよび付加情報を配信し、前記携帯電話機は配信サーバから無線基地局を介して受信した前記暗号化コンテンツキー、前記暗号化音楽データおよび付加情報を前記記録媒体に記録することを特徴とする音楽配信システムである。従って、請求項１５に記載された音楽配信システムでは、配信された音楽を試聴した後、配信データの受理／不受理（音楽データの購入／購入しない）を決定できるようになる。
【００２１】
請求項１６にかかる発明は、請求項１５記載の音楽配信システムであって、  前記試聴音楽データが前記暗号化音楽データを復号したデータの一部であることを特徴とする音楽配信システムである。従って、請求項１６に記載された音楽配信システムでは、配信された音楽を試聴した後、配信データの受理／不受理（音楽データを購入／購入しない）を決定できるようになる。
【００２２】
請求項１７にかかる発明は、請求項１５記載の音楽配信システムであって、前記前記試聴音楽データが通話音声を圧縮する符号化方式にて圧縮された音楽データであることを特徴とする音楽配信システムである。従って、請求項１７に記載された音楽配信システムでは、配信された音楽を試聴した後、配信データの受理／不受理（音楽データを購入／購入しない）を決定できるようになる。
【００２３】
請求項１８にかかる発明は、請求項１５から１７に記載のいずれかの音楽配信システムであって、前記配信サーバは配信に対して課金管理を行う課金手段を備え、配信を受理する場合、前記課金手段にて課金を行うことを特徴とする音楽配信システムである。従って、請求項１８に記載された音楽配信システムでは、配信された音楽を試聴した後、配信データの受理／不受理（音楽データを購入／購入しない）を決定でき、配信データを受理する（購入する）場合、課金できるようになる。
【００２４】
請求項１９にかかる発明は、請求項１１から１８に記載のいずれかにおいて暗号化音楽データを再生して得られる音楽の曲名を付加情報に含むことを特徴とするの音楽配信システムである。従って、請求項１９に記載の音楽配信システムでは、配信を受けようとする音楽を試聴した後、音楽の配信を受けることができるようになるとともに、配信を受けた記録媒体に記録されている曲名を容易に知ることができるようになる。
【００２５】
請求項２０にかかる発明は、請求項１２から１８に記載のいずれかにおいて、暗号化音楽データを再生して得られる音楽を歌うまたは演奏する歌手名またはグループ名を付加情報に含むことを特徴とするの音楽配信システムである。従って、請求項２０に記載の音楽配信システムでは、配信を受けようとする音楽を試聴した後、音楽の配信を受けることができるようになるとともに、配信を受け記録媒体に記録された暗号化音楽データを再生された音楽を歌う或いは演奏する歌手またはグループ名を知ることができるようになる。
【００２６】
請求項２１にかかる発明は、請求項１２から１８に記載のいずれかにおいて、暗号化音楽データを再生して得られる音楽の著作権情報を付加情報に含むことを特徴とするの音楽配信システムである。従って、請求項２１に記載の音楽配信システムでは、配信を受けようとする音楽を試聴した後、音楽の配信を受けることができるようになるとともに、配信を受け記録媒体に記録されている音楽の著作権情報を知ることができる。
【００２７】
請求項２２にかかる発明は、請求項１２から１８に記載のいずれかにおいて、暗号化音楽データを再生して得られる音楽の歌詞データを付加情報に含むことを特徴とするの音楽配信システムである。従って、請求項２２に記載の音楽配信システムでは、配信を受けようとする音楽を試聴した後、音楽の配信を受けることができるようになるとともに、配信を受け記録媒体に記録されている音楽の歌詞を知ることができる。
【００２８】
請求項２３にかかる発明は、請求項１２から１８に記載のいずれかにおいて、画像データを付加情報に含むことを特徴とするの音楽配信システムである。従って、請求項２３に記載の音楽配信システムでは、配信を受けようとする音楽を試聴した後、音楽の配信を受けることができるようになるとともに、例えば、ＣＤのジャケットに相当する画像を提供することができるようになる。
【００２９】
請求項２４にかかる発明は、請求項１２から１８に記載のいずれかであって、配信サーバに接続する電話番号を付加情報に含むことを特徴とするの音楽配信システムである。従って、請求項２４に記載の音楽配信システムでは、配信を受けようとする音楽を試聴した後、音楽の配信を受けることができるようになるとともに、配信を受け記録媒体に記録された音楽の配信元を容易に知ることができる。
【００３０】
請求項２５にかかる発明は、請求項１２から１８に記載のいずれかであって、配信サーバに接続する電話番号を付加情報にを含み、前記携帯電話機は前記電話番号に自動発呼する手段を備えることを特徴とするの音楽配信システムである。従って、請求項２５に記載の音楽配信システムでは、試聴したが配信を不受理の（購入しなかった）音楽データを、この音楽データを記録媒体上に留めたままであれば、容易にコンテンツキー購入を行えるようになる。
【００３１】
【発明の実施の形態】
本発明の実施形態を、図を参照しつつ説明する。図１は本発明における配信先端末にあたる携帯電話機の一実施例を示すブロック図、図２は配信サーバから配信するデータとして音楽データを用いた音楽配信システムの概念を示す図である。
【００３２】
まず、図２を参照して音楽配信システムの概念について説明する。電話番号が「０９０−△△△△−×××１」の携帯電話機１３は本体に挿脱可能な記録媒体、ここでは半導体メモリによるメモリーカード１４を有している。また、メモリーカード１４内には、携帯電話機１３の電話番号に基づいて設定される固有ＩＤ２１と、固有ＩＤ２１を復号キーとして復号可能な暗号化コンテンツキー２２、復号されたコンテンツキーを復号キーとして復号できる暗号化音楽データ２４、前記暗号化音楽データ２４に関する曲名、歌手名、著作権所有者、配信先電話番号、曲目アクセスコード等の付加情報２３が記録されている。
【００３３】
配信サーバ１０には、音楽データを暗号化した暗号化音楽データ、暗号化データを復号するコンテンツキー、および、その音楽データの曲名、歌手、作曲家、作詞家等のその音楽データに関する音楽情報を音楽データ群として、複数記録した音楽情報データベース１１と、別途、音楽配信における課金を管理する課金データベース１２とを備えており、携帯電話機１３からアクセス可能になっている。
【００３４】
利用者は、ある音楽データを購入しようとする時、配信サーバ１０にアクセスをし、通話状態に移行、即ち回線接続後、希望する曲を指定する。配信サーバ１０は、携帯電話機１３から着信を受け、通話状態へ移行すると、携帯電話機１３の電話番号に基づく固有ＩＤ２１を認識する。次いで、購入を希望された音楽データ群を音楽情報データベース１２から取得し、配信すべき音楽データを暗号化した暗号化音楽データ２４を復号する復号キーであるコンテンツキーに対して、固有ＩＤ２１を復号キーとする暗号化を施し、暗号化コンテンツキー２２を生成する。次いで、暗号化コンテンツキー２２、付加情報２３、暗号化音楽データ２４を携帯電話機１４に送信する。
【００３５】
携帯電話機１３は図１に示すように構成される。図には、説明を容易にするため音楽配信システムに関わるブロックのみ記載し、携帯電話機１３が本来備えている通話機能に関するブロックが一部割愛されている。また、コントローラ３０は例えばマイクロコンピュータによって構成され、携帯電話機１３内の総合的な制御を各ブロックと個々に制御信号を授受することで行う。ここでは、簡単化のために各種制御信号の表記は割愛されている。バスＡは携帯電話機１４内のデータバスを、バスＢはメモリカード１４内のデータバスを示し、バスコントローラ４０によってバス間の制御がなされ、容易に携帯電話１３からメモリカード１４が挿脱できる構成になっている。メモリコントローラ４１はコントローラ３０からの指示に従ってメモリカード１４内の制御をメモリカード内の各ブロックと個々に制御信号を授受することで行う。ここでは、簡単化のために各種制御信号の表記は割愛されている。
【００３６】
配信サーバ１０より送信された暗号化コンテンツキー２２、付加情報２３、暗号化音楽データ２４は、アンテナ３１のよって受信され送受信部３２においてデータとして取り出され、受信した暗号化コンテンツキー２２はバスＡを介してレジスタ３９に、受信した付加情報２３、暗号化音楽データ２４は、バスＡ、バスコントローラ４０、バスＢを介して、メモリカード１４内のメモリ４２に順次記録される。レジスタ３９は一時記録を目的とするデータ保持手段であり、通信終了後、速やかに保持内容は消去されるものである。また、受信された暗号化音楽データ２４の受信量をデータ量検知部３８にて計測し、受信された暗号化音楽データ２４が予め定めた所定の量を以上受信されると、コントローラ３０にその旨を図示されない制御信号にて通知する。前記制御信号を受けてコントローラ３０はメモリコントローラに対して、コントローラ３０から供給する固有ＩＤと、レジスタ３９に一時保持されている受信中の暗号化音楽データ２４に対する暗号化コンテンツキー２２を用いて、前記受信中音楽データ２４を記録しつつ再生するように指示する。
【００３７】
メモリコントローラ４１はコントローラ３０からの前記固有ＩＤとレジスタ３９からの暗号化コンテンツキー２２をコンテンツキー復号部４４に供給するともに、前記コンテンツキー復号部４４に、受信中の暗号化音楽データ２４を復号するコンテンツキーを求めるよう指示する。前記コンテンツキー復号部４４は復号したコンテンツキーを音楽データ復号部４３に供給する。
【００３８】
次いで、メモリコントローラ４１はメモリ４２から先行して記録した受信中の暗号化音楽データ２４を読み出し、音楽データ復号部にメモリ４２において復号しバスコントローラ４０に供給するように指示する。
【００３９】
コントローラ３０は、バスコントローラ４０から復号された音楽データを受けとり、音楽再生部３４にて音楽を再生し、混合器３５にて通話による音声再生部３３からの再生音声とを選択的に混合した後、ＤＡ変換器３６にてアナログに変換しイヤホンジャック３７に出力する。利用者はヘッドホーン１５を介して、受信中の暗号化データ２４を再生した音楽を試聴する。この音楽の再生は、音楽の再生終了、暗号化音楽データの受信終了、配信サーバの指示、利用者の指示等の条件で再生を終了する。
【００４０】
このようにして、受信中の暗号化音楽データを一部、若しくは全てを受信中に再生することが可能になり、利用者は、前記再生が終了するまでの間、購入しようとする音楽データの再生音楽を試聴できるようになる。この時、暗号化コンテンツキーは一時的にのみデータを記録可能なレジスタ３９に記録されており、未だ購入されない状態である。
【００４１】
暗号化データ受信終了後、利用者の購入意志、即ち、購入する（配信の受理）か否（配信の不受理）かを携帯電話機１３のキー４５にて入力する。
【００４２】
キー４５は、携帯電話機１３に専用の入力キーを配置することや、標準的に備えられているキーの内のいずれかを割り当てて利用すること、例えば、購入する場合は‘＊’、購入する場合は‘＃’、或いは購入する場合は‘１’、購入する場合は‘９’等が考えられるが、特に、限定するものではなく、利用者が携帯電話機１３を操作して、購入意志を入力する手段であればいかなる方法であっても良い。
【００４３】
前記キー４５にて入力された購入意志はコントローラ３０にて認知され、送受信部３２、アンテナ３１を介して、配信サーバ１０に送信する。次いで、携帯電話機１３では購入する場合は、前記レジスタ３９の暗号化コンテンツキー２２を、バスコントローラ４０を介してメモリ４２に記録した後、レジスタ３９を消去することで購入を成立させ、通信を終了させる。コントローラ３０からの固有ＩＤ２１も、この時記録される。購入しない場合は、レジスタ３９を破棄するとともにメモリ４２上に記録された付加情報２３および暗号化音楽データ２４を消去し、購入されない状態、通信開始以前の状態に戻して通信を終了させる。
【００４４】
図３および図４を参照して、本発明における音楽配信システムの処理フローについて説明する。図３は携帯電話１３の、図４は配信サーバ１０のフローチャートである。
【００４５】
携帯電話機１３はステップＳ１１でスタートし、ステップＳ１２で配信サーバ１０に対して電話をすることで配信サーバ１０へ回線接続を行う、このとき携帯電話網では発信者の携帯電話機の電話番号を受信者、即ち、配信サーバ１０に通知する。配信サーバ１０はステップＳ４１でスタートし、ステップＳ４２で携帯電話機１３におけるステップＳ１２をうけて、携帯電話機との回線接続を行うと同時に携帯電話機１３の電話番号「０９０−△△△△−××××１」を携帯電話網から取得する。
【００４６】
携帯電話機１３では、ステップＳ１３で配信を求める音楽データを選曲し、ステップＳ１４で配信サーバに対して選曲情報を送信する。選曲情報として、例えば、各音楽データに予め付けられたユニークな管理コードが考えられる。配信サーバ１０では、ステップＳ４３で前記選曲情報を受信し、ステップＳ４４で前記電話番号「０９０−△△△△−××××１」に基づく固有ＩＤ２１を生成、前記選曲情報によって指示された音楽データを暗号化音楽データ２４から再生するコンテンツキーを音楽情報データベース１１から得て、前記生成した固有ＩＤ２１によって前記コンテンツキーを復号できる暗号化コンテンツキー２２を生成する。
【００４７】
次いでステップＳ４５で前記暗号化コンテンツキー２２および音楽情報データベース１１から得た曲名、歌手名、著作権情報、管理番号、配信サーバの電話番号等の音楽データに付与された送信すべき付加情報２３と前記暗号化コンテンツキー２２送信する。携帯電話機１３では、ステップＳ４５を受けて、ステップＳ１５で前記付加情報２３をメモリカード１４に、前記暗号化コンテンツキーをレジスタ３９に記録する。
【００４８】
配信サーバ１０では、ステップＳ４６で、暗号化音楽データ２４を音楽情報データベース１１から順次取得しつつ、送信を行う。携帯電話機１３では、前記ステップＳ４６を受けて、ステップＳ１７で受信した暗号化音楽データ２４をメモリカード１４に記録する。更に、ステップＳ１８にて受信した暗号化音楽データの量が、予め定めた所定量Ｑに達するまで（＜Ｑ）、暗号データの受信を実行する。受信した暗号化音楽データの量が所定量Ｑに達する（≧Ｑ）と、ステップＳ１９で前記レジスタ３９に一時的に記録された暗号化コンテンツキー２２の携帯電話機の持つ固有ＩＤにて復号を、ステップＳ２０で復号されたコンテンツキーにて受信済み暗号化音楽データの復号を開始し、音楽データとして再生を開始する。再生中にも引き続き暗号化音楽データ２４の受信、メモリカード１４への記録は行われている。このステップＳ２０にて、利用者は受信中の音楽データの視聴が可能になる。音楽背信サーバ１０は音楽情報データベース１１の背信を要求された暗号化音楽データ２４を全て送信するまで音楽情報データベース１１へのアクセスおよび携帯電話機１３への送信を継続する。携帯電話機１３では、配信サーバからの暗号化音楽データの送信終了を受けて、ステップＳ２１で暗号化音楽データ２４の受信を終了する。ステップＳ２２で試聴を目的とした音楽再生が終了する。
【００４９】
次いで、ステップＳ２３で受信した、即ち試聴した暗号化音楽データ２４に対する購入意思、購入するか否かの確認を行うため利用者からの入力を得る。
【００５０】
入力された購入意思はステップＳ２４で配信サーバ１０に送信され、前記購入意思の送信終了後、配信サーバ１０との回線切断を行う。配信サーバ１０では、ステップＳ４７にて購入意思を受信し、ステップＳ４８で携帯電話機１３との回線を切断、ステップＳ４９で購入意思の確認を行う。購入する場合にはステップＳ５０で課金データベース１２の更新を行い。ステップＳ５１にてストップする。また、購入しない場合にはステップＳ４９からステップＳ５１に進み、ストップする。
【００５１】
携帯電話機１３ではステップＳ２５で購入意思の確認を行う。購入する（購入Ｙｅｓ）場合にはステップＳ２６でレジスタ３９に記録された暗号化コンテンツキー２２をメモリ４２に記録し、ステップＳ２７でレジスタ３９を消去し、ステップＳ２８のストップに至る。購入しない（購入Ｎｏ）場合には、ステップＳ２９でレジスタ３９を消去し、次いで、ステップＳ３０でメモリカード１４内に受信して記録された付加情報２３および暗号化音楽データを消去して、ステップＳ２８のストップに至る。
【００５２】
また、所定量Ｑは、暗号化音楽データを再生を保証するための先行して受信しておく必要のあるデータ量を、音楽データを作成した圧縮アルゴリズムや携帯電話網のデータ伝送レートから算出して定めたものである。
【００５３】
図５を参照して、本発明の係わる音楽配信システムの第２の実施例について説明する。第１の実施例における携帯電話機１３のおける図３のフローチャートの試聴後、購入を取りやめた際の処理を変更したものであり、配信サーバ１０および携帯電話機１３は同一の構成にて実現できる。図３を構成するステップと同一の処理を行うステップについては同一記号を付して、説明は割愛し、変更を行ったステップＳ２５以降についてのみ説明する。
【００５４】
携帯電話機１３ではステップＳ２５で購入意思の確認を行う。購入する（購入Ｙｅｓ）場合にはステップＳ２６でレジスタ３９に記録された暗号化コンテンツキー２２をメモリ４２に記録し、ステップＳ２７でレジスタ３９を消去し、ステップＳ３０のストップに至る。購入しない（購入Ｎｏ）場合には、ステップＳ２６を飛ばした形でステップＳ２７へ至りレジスタ３９を消去し、ステップＳ３０のストップに至る。
【００５５】
このように、試聴したが購入しなかった場合にも、暗号化コンテンツキー２２を除く、試聴済み音楽データ（付加情報２３、暗号化音楽データ２４）はメモリカード１３内のメモリ４２に記録されている状態で、非購入のまま通信が終了する。
【００５６】
即ち、購入した時には音楽データとして、固有ＩＤ２１，暗号化コンテンツキー２２、付加情報２３、暗号化音楽データ２４を、購入しないときには付加情報２３、暗号化音楽データ２４をメモリ４２に記録する。従って、固有ＩＤ２１と暗号化コンテンツキー２２を持たない音楽データがメモリカード１４上に存在することになる。
【００５７】
次いで、通常の再生における処理フローを図６を参照しつつ説明する。ステップＳ６１でスタートし、ステップＳ６２でメモリカード１４内において、メモリ４２から固有ＩＤ２１と暗号化コンテンツキー２２を読み出し、コンテンツキー復号部４４に供給する。コンテンツキー復号部４４では固有ＩＤ４１を復号キーとして暗号化コンテンツキー４２からコンテンツキーを復号する。ステップＳ６３で、前記コンテンツキーの復号が正常に行えたか否か判断する。購入した音楽データでは、対応のとれた固有ＩＤ２１と暗号化コンテンツキー２２が記録されているので、コンテンツキーの復号が正常に行われた（復号Ｙｅｓ）と判断されステップＳ６４に進む。ステップＳ６４では、音楽データ復号部４３にてコンテンツキー復号部４４からのコンテンツキーを復号キーとしてメモリ４２から読み出した暗号化音楽データ２４を復号して音楽データを得る。復号された音楽データはバスコントローラ４０を介して音楽再生部３４、混合部３５、ＤＡ変換器３６，イヤホンジャック３７，ヘッドホーン１５を経て音楽として利用者に楽しまれることとなる。音楽の再生が終了するとステップＳ６５でストップし、一連の音楽再生に係わる処理を終了する。
【００５８】
しかしながら、購入しなかった音楽データには固有ＩＤ２１および暗号化コンテンツキー２２が記録されていないため、ステップＳ６３でコンテンツキーの復号が正常に行われなかった（復号Ｎｏ）と判断され、ステップＳ６５に至り、スッテプ６５でストップし、音楽が再生されることなく一連の音楽再生に係わる処理を終了する。
【００５９】
このようにして、暗号化コンテンツキー２２がメモリカード１４内のメモリ４２に記録されているか否かで音楽の再生を決定でき、受信した暗号化音楽データ２４を消去しなくとも購入したか否かを決定することができる。
【００６０】
ここで、暗号化音楽データ２４を消去しなかったのには、後日、前記音楽データの購入を改めて考えた場合に、付加情報２３、暗号音楽データ２４を受信するための受信時間及び通信費を省き、スムーズな購入を実現するためである。
【００６１】
前記音楽データの購入を改めて考えた場合、即ち、暗号化コンテンツキー２２を持たない再生不能な音楽データ（付加情報２３、暗号化音楽データ２４のみ）をメモリカード１４内に記録した状態で、この音楽データを購入する場合には、暗号化コンテンツキー２２のみを、再度、入手すれば不要なデータの受信を行わなくても、前記音楽データの購入ができるのである。
【００６２】
利用者は、メモリカード１４内の記録されている前記試聴済み音楽データを改めて購入しようとした際に、携帯電話機１３を用いて配信サーバ１０に対して、メモリカード１４内に記録された暗号化音楽データ２４に対する暗号化コンテンツキー２２の送信を受けることで前記音楽音楽データの購入が容易に行える。
【００６３】
図７および図８を参照して、本発明における使用した音楽データを改めて購入しようとした時の音楽配信システムの処理フローについて説明する。図７は携帯電話の、図８は配信サーバのフローチャートである。
【００６４】
携帯電話機１３はステップＳ７１でスタートし、ステップＳ１２で配信サーバ１０に対して電話をすることで配信サーバ１０へ回線接続を行う、このとき携帯電話網では発信者の携帯電話機の電話番号を受信者、即ち、配信サーバ１０に通知する。配信サーバ１０はステップＳ８１でスタートし、ステップＳ８２で携帯電話機１３におけるステップＳ７２を受けて、携帯電話機との回線接続を行うと同時に携帯電話機１３の電話番号「０９０−△△△△−××××１」を携帯電話網から取得する。
【００６５】
携帯電話機１３では、ステップＳ７３で、メモリにある暗号化コンテンツキーを持たない暗号化データ２４を選曲し、配信サーバに対してコンテンツキーのみの配信を受ける選曲情報を送信する。選曲情報として、前記暗号化データに対応する付加情報２３内に記録されている管理コードが考えられる。配信サーバ１０では、ステップＳ８３で前記選曲情報を受信し、ステップＳ８４で前記電話番号「０９０−△△△△−××××１」に基づく固有ＩＤ２１を生成、前記選曲情報によって指示された音楽データを暗号化音楽データ２４のコンテンツキーを音楽情報データベース１１から得る。そして、前記固有ＩＤ２１によって前記コンテンツキーを復号できる暗号化コンテンツキー２２を生成する。次いで、ステップＳ８５で暗号化コンテンツキー２２を送信する。携帯電話器１３では、ステップＳ８５をうけて、ステップＳ７４で暗号化コンテンツキー２２を受信し、ステップＳ７５で、固有ＩＤ２１と受信した暗号化コンテンツキー２２をメモリ４２の前記暗号化音楽データ２４と対をなすように記録する。記録後、ステップＳ７６で配信サーバ１０との回線を切断して、ステップＳ７７にてストップして購入処理を終了する。配信サーバ１０では、ステップＳ７６をうけて、ステップＳ８６で携帯電話機１３と回線切断し、ステップＳ８７で課金データベースの更新を行い、ステップＳ８８でストップに至り、処理を終了する。
【００６６】
このようにして、購入をしないが配信処理を受けた暗号化音楽データ２４、付加情報データ２３が、メモリカード１４に記録された状態であれば容易に、再度購入を試みることができ、固有ＩＤ２１、暗号化コンテンツキー２２、付加情報２３、暗号化音楽データ２４がそろった音楽データになる。故に、再生ができるようになる。
【００６７】
また、利用者は、この音楽データが不要であると判断した場合には、ここでは説明を行わないがメモリカード１４内の音楽データ消去する手順にしたがって、この非購入データを、別途消去する。
【００６８】
第１および第２の実施例を個別に説明したが、この二つの機能を選択的に実施する、即ち、購入意志決定後に、受信した付加情報２３および暗号化音楽データ２４をメモリカード１４から消去するか否かを選択する機能を持たせる構成にしても良い。
【００６９】
図８を参照して、本発明の係わる音楽配信システムの第３の実施例について説明する。図２を構成するブロックと同一の処理を行うブロックについて同一番号を付して、説明は割愛する。試聴用音楽を別途、配信サーバ１０から提供され形態である。
【００７０】
利用者が試聴を希望すると配信サーバ１０より、試聴を目的とした音楽が通常の通話音声と同じ方式で送られてくる。携帯電話機では、通常の通話と同様に、アンテナ３１にて受信し、送受信部３２においてデータとして取り出し、バスＡを介して、音声再生部３３にて通話品質の試聴用音楽の再生を行う。前記試聴用音楽は混合器３５にて選択的に混合した後、ＤＡ変換器３６にてアナログに変換しイヤホンジャック３７に出力する。利用者はヘッドホーン１５を介して、受信中の暗号化データ２４を再生した音楽を試聴する。また、携帯電話機が持つ図示されないスピーカにて試聴することも可能である。この試聴は配信サーバ１０からの送信終了或いは利用者の指示で再生を終了する。
【００７１】
このようにして、購入決定以前に音質が異なるものではあるが、購入しようとする音楽データを再生して得られる音楽の一部、若しくは全てを試聴することができるようになる。
【００７２】
試聴終了後、利用者の購入意志、即ち、購入する（配信の受理）か否（配信の不受理）かを携帯電話機１３のキー４５にて入力する。キー４５は、携帯電話機１３に専用の入力キーを配置することや、標準的に備えられているキーの内のいずれかを割り当てて利用すること、例えば、購入する場合は‘＊’、購入する場合は‘＃’、或いは購入する場合は‘１’、購入する場合は‘９’等が考えられるが、特に、限定するものではなく、利用者が携帯電話機１３を操作して、購入意志を入力する手段であればいかなる方法であっても良い。
【００７３】
前記キー４５にて入力された購入意志はコントローラ３０にて認知され、送受信部３２、アンテナ３１を介して、配信サーバ１０に送信する。
【００７４】
配信サーバ１０は、購入する場合は、暗号化コンテンツキー２２、付加情報２３、暗号化音楽データ２４の配信の配信を行う。携帯電話機１３は、アンテナ３１、送受信部３２を介して受信した暗号化コンテンツキー２２、付加情報２３、暗号化音楽データ２４は、バスＡ、バスコントローラ４０、バスＢを介して、メモリカード１４内のメモリ４２に順次記録される。全ての配信データの受信と記録を終了すると、コントローラ３０は受信終了を送受信部３２、アンテナ３１を介して、配信サーバ１０に送信し処理を終了する。配信サーバ１０では、受信の終了を受信すると、課金データベース１２の更新を行い配信処理を終了する。
【００７５】
購入しない場合には、サーバ１０に対してコントローラ３０は送受信部３２、アンテナ３１を介して購入しない旨の通知を送信し処理を終了する。配信サーバ１０では、購入しない旨の通知を受信すると、そのまま配信処理を終了する。
【００７６】
記録した音楽の再生は図６のフローチャートにしたがって実施される。第２の実施例にて、処理フローの説明を行ったのでここでは説明を割愛する。
【００７７】
図９および図１０を参照して、本発明における音楽配信システムの処理フローについて説明する。図９は携帯電話機１３の、図１０は配信サーバ１０のフローチャートである。
【００７８】
携帯電話機１３はステップＳ１０１でスタートし、ステップＳ１０２で配信サーバ１０に対して電話をすることで配信サーバ１０へ回線接続を行う、このとき携帯電話網では発信者の携帯電話機の電話番号を受信者、即ち、配信サーバ１０に通知する。配信サーバ１０はステップＳ１２１でスタートし、ステップＳ１２２で携帯電話機１３におけるステップＳ１０２をうけて、携帯電話機との回線接続を行うと同時に携帯電話機１３の電話番号「０９０−△△△△−××××１」を携帯電話網から取得する。
【００７９】
携帯電話機１３では、ステップＳ１０３で配信を求める音楽データを選曲し、ステップＳ１０４で配信サーバに対して選曲情報を送信する。選曲情報として、例えば、各音楽データに予め付けられたユニークな管理コードが考えられる。配信サーバ１０では、ステップＳ１２３で前記選曲情報を受信し、ステップＳ１２４にて携帯電話機における通話音声の送受信に用いられる音声圧縮方式にて圧縮された試聴用音楽データ（サンプル音楽）を送信する。携帯電話機１３ではステップＳ１０５でステップＳ１２４にて送信された前記試聴用音楽データを受信し、ステップ１０６で試聴用音楽を再生する。再生終了後、ステップ１０７で試聴した音楽の暗号化音楽データ２４に対する購入意思、購入するか否かの確認を行うため利用者からの入力を得る。次いで、入力された購入意思はステップＳ１０８で配信サーバ１０に送信さる。
【００８０】
配信サーバ１０では、ステップＳ１２５にて購入意思を受信し、ステップＳ１２６で購入意思の確認を行う。購入する（購入Ｙｅｓ）場合には、ステップＳ１２７で前記電話番号「０９０−△△△△−××××１」に基づく固有ＩＤ２１を生成、前記選曲情報によって指示された音楽データを暗号化音楽データ２４から再生するコンテンツキーを音楽情報データベース１１から得て、前記生成した固有ＩＤ２１によって前記コンテンツキーを復号できる暗号化コンテンツキー２２を生成する。
【００８１】
次いでステップＳ１２８で前記暗号化コンテンツキー２２および音楽情報データベース１１から得た曲名、歌手名、著作権情報、管理番号、配信サーバの電話番号等の音楽データに付与された送信すべき付加情報２３と前記暗号化コンテンツキー２２と暗号化音楽データ２４とを送信する。
【００８２】
携帯電話機１３では、前記ステップＳ１２８にて送信されたデータを、ステップ１１０で受信し、ステップ１１１でメモリカード１４内のメモリ４２に記録する。前記送信されたデータの全ての受信が終了すると、ステップＳ１１２でその旨、即ち、受信終了を配信サーバ１０に送信し、ステップＳ１１３で配信サーバ１０との回線切断を行った後、ステップＳ１１４でストップに至る。
【００８３】
配信サーバ１０では、ステップＳ１２９にて配信したデータの受信終了を受信した後、ステップＳ１３０で課金データベース１２の更新を行い、ステップＳ１３２にてストップする。
【００８４】
また、購入しない（購入Ｎｏ）場合には、携帯電話機１３ではステップＳ１０８からステップＳ１１３に進み、ステップ１１４でストップに至る。配信サーバ１０ではステップＳ１２６からステップＳ１３１に進み、ステップ１３２でストップに至り、携帯電話機１３および配信サーバ１０での処理を終了する。
【００８５】
第３の実施例では通話品質の試聴用音楽を聴かせるための試聴用音楽データを予め音楽情報データベース１１に用意するよう説明したが、暗号化音楽データ２４を復号した音楽データの一部を暗号化しないまま試聴用音楽データとして供与する様にしても良い。
【００８６】
また、第１、第２および第３の実施例では固有ＩＤ２１を配信サーバ１０への通信回線接続時に自動的に送られ電話番号を基に固有ＩＤを自動的に認識するものとして、固有ＩＤの送受信に関する説明を省略した。固有ＩＤを回線接続後に携帯電話機１３から配信サーバ１０に対して送信するようにしても良い。
【００８７】
また、第１、第２および第３の実施例では、図１２の如く、各音楽データ毎に固有ＩＤ２１Ａ、２１Ｂ、．．．．．、２１Ｎ、暗号化コンテンツキー２２Ａ、２２Ｂ、．．．．．、２２Ｎ、付加情報２３Ａ、２３Ｂ、．．．．．、２３Ｎ、暗号化音楽データ２４Ａ、２４Ｂ、．．．．．、２４Ｎをそれぞれ一組にして音楽データ２５Ａ、２５Ｂ、．．．．．、２５Ｎとして記録するものとし、新しく記録する音楽データ２５Ｎにおいて、暗号化コンテンツキー２２Ｎ記録時に固有ＩＤ２１Ｎを併せて記録するように説明したが、図１３の如くメモリカード１４内の全ての音楽データ２７Ａ、２７Ｂ、．．．．．、２７Ｎ、に対して共通の固有ＩＤ２６用意し、メモリカード初期化時等に予め記録しておく様に構成しても良い。
【００８８】
また、本実施例では、固有ＩＤ２１を、電話番号に基づいて設定される情報として説明したが、本実施例に限るものではなく、メモリーカードを識別するためのユニークな管理情報や、装置を識別するためのユニークな管理情報に基づいて固有ＩＤ２１を設定してもよい。
【００８９】
また、本実施例では、記録媒体として、メモリカードを用いて説明しているが、本実施例に限るものではなく、光磁気ディスク等の光磁気記録媒体やハードディスク等の磁気記録媒体により構成される記録媒体でもよい。
【図面の簡単な説明】
【図１】本発明における携帯電話機の一実施例を示すブロック図である。
【図２】本発明の音楽配信システムの概念を示す図である。
【図３】本発明における携帯電話機の音楽データ購入に関するフローチャートである。
【図４】本発明における配信サーバの音楽データ購入に関するフローチャートである。
【図５】本発明の第２の実施例における携帯電話機の音楽データ購入に関するフローチャートである。
【図６】音楽再生に関わるフローチャートである。
【図７】本発明の第２の実施例における再購入に関する携帯電話機のフローチャートである。
【図８】本発明の第２の実施例における再購入に関する配信サーバのフローチャートである。
【図９】本発明の第３の実施例における携帯電話機を示すブロック図である。
【図１０】本発明の第３の実施例における携帯電話機の音楽データ購入に関するフローチャートである。
【図１１】本発明の第３の実施例における配信サーバの音楽データ購入に関するフローチャートである。
【図１２】本発明におけるメモリ内のデータ構成を示す図である。
【図１３】本発明における別のメモリ内のデータ構成を示す図である。
【符号の説明】
１０・・・配信サーバ
１１・・・音楽情報データベース
１２・・・課金データベース
１３・・・携帯電話機
１４・・・メモリカード
１５・・・ヘッドホーン
２１・・・固有ＩＤ
２２・・・暗号化コンテンツキー
２３・・・付加情報
２４・・・暗号化音楽データ
３１・・・アンテナ
３２・・・送受信部
３３・・・音声再生部
３４・・・音楽再生部
３８・・・データ量検知部
３７・・・イヤホンジャック
３９・・・レジスタ
４２・・・メモリ
４３・・・コンテンツキー復号部
４４・・・音楽データ復号部
４５・・・キー
【図１】
0004404415.tif 000002
【図２】
0004404415.tif 000003
【図３】
0004404415.tif 000004
【図４】
0004404415.tif 000005
【図５】
0004404415.tif 000006
【図６】
0004404415.tif 000007
【図７】
0004404415.tif 000008
【図８】
0004404415.tif 000009
【図９】
0004404415.tif 000010
【図１０】
0004404415.tif 000011
【図１１】
0004404415.tif 000012
【図１２】
0004404415.tif 000013
【図１３】
0004404415.tif 000014